(57)【要約】【課題】ノズルのセルフクリーニング機構を備えることで、使用者自身が個室を出てからノズルを洗面所の水道水などで直接洗浄する必要のない使い勝手のよい携帯型洗浄器を提供する。【解決手段】本発明の携帯用おしり洗浄器は、洗浄対象を洗浄するための通常洗浄用孔（２ｃ）と、ノズル（２）を洗浄するためのノズル洗浄用孔（２ａ）とが形成されたノズル（２）、ノズル（２）上をスライド移動することでノズル洗浄用孔（２ａ）を開閉する外筒（４）とを備える。【選択図】図１
2017029421.tif 000002
【特許請求の範囲】
【請求項１】
洗浄水を貯蔵するタンクと、
上記タンクに貯蔵された洗浄水を吐水し、洗浄対象を洗浄するための通常洗浄用孔が形成されたノズルと、を備え、
上記ノズルには、当該ノズルを洗浄するために上記洗浄水を吐水する開口であって、上記通常洗浄用孔の開口面積よりも大きい開口面積のノズル洗浄用孔が開閉可能に形成されていることを特徴とする携帯型洗浄器。
【請求項２】
上記ノズル洗浄用孔の開口面積は、当該ノズル洗浄用孔から吐水される洗浄水の水圧が上記ノズルを伝って流れる程度の水圧となるように設定されていることを特徴とする請求項１に記載の携帯型洗浄器。
【請求項３】
上記ノズル洗浄用孔は、上記通常洗浄用孔よりも上記ノズルにおける洗浄水供給方向の上流側に形成されていることを特徴とする請求項１または２に記載の携帯型洗浄器。
【請求項４】
上記ノズル洗浄用孔を開閉するために、
上記ノズル上で上記ノズル洗浄用孔を閉じる位置と、上記ノズル洗浄用孔を開ける位置とにスライド移動可能なスライド部材が設けられていることを特徴とする請求項１〜３の何れか１項に記載の携帯型洗浄器。
【請求項５】
上記スライド部材は、
上記ノズル洗浄用孔を開放する位置に移動したときに、当該ノズル洗浄用孔と対向する位置に洗浄水反射部が形成されていることを特徴とする請求項４に記載の携帯型洗浄器。
【請求項６】
上記ノズルに光を照射するＬＥＤライトが設けられていることを特徴とする請求項１〜５の何れか１項に記載の携帯型洗浄器。
【請求項７】
上記タンクが光透過性の材料で形成されていると共に、当該タンクに光を照射するＬＥＤライトが設けられていることを特徴とする請求項１〜６の何れか１項に記載の携帯型洗浄器。
【請求項８】
上記ノズルの先端に設けられた近接センサと、
上記タンクに貯蔵された洗浄水を上記ノズルに供給する洗浄水供給部と、
上記洗浄水供給部による洗浄水の上記ノズルへの供給を制御する洗浄水供給制御部と、
を備え、
上記洗浄水供給制御部は、
上記近接センサによる検出値が、所定の範囲内にあれば、上記ノズルへの洗浄水の供給を行い、上記所定の範囲を越えていれば、上記ノズルへの洗浄水の供給を停止するように上記洗浄水供給部を制御することを特徴とする請求項１〜７の何れか１項に記載の携帯型洗浄器。
【発明の詳細な説明】
【技術分野】
【０００１】
本発明は、携帯型洗浄器に関する。
【背景技術】
【０００２】
近年、据置型の温水洗浄便座が普及してきている。さらに最近では、外出時等にトイレで使用するための携帯型の洗浄器（以下、携帯型洗浄器と称する）も普及しつつある。
【０００３】
据置型の温水洗浄便座、携帯型洗浄器の何れにおいても、洗浄対象（おしり）に洗浄水を吹き付けるためのノズルを備えている。このため、洗浄対象の洗浄後、ノズル自体も洗浄する必要がある。通常、据置型の温水洗浄便座では、特許文献１に記載のように、ノズル洗浄時に洗浄水をノズル表面に流出させてノズルを洗浄する機構（ノズルのセルフクリーニング機構）が備えられている。
【先行技術文献】
【特許文献】
【０００４】
【特許文献１】特開２００８−８２０４３号公報（２００８年４月１０日公開）
【発明の概要】
【発明が解決しようとする課題】
【０００５】
しかしながら、従来の携帯型洗浄器では、据置型の温水洗浄便座に設けられているようなノズルを洗浄するノズルのセルフクリーニング機構を備えていないため、使用者自身が個室を出てからノズルを洗面所の水道水などで直接洗浄する必要があり、使い勝手が悪かった。
【０００６】
本発明は、上記問題点に鑑みなされたものであって、その目的は、ノズルのセルフクリーニング機構を備えることで、使用者自身が個室を出てからノズルを洗面所の水道水などで直接洗浄する必要のない使い勝手のよい携帯型洗浄器を提供することにある。
【課題を解決するための手段】
【０００７】
上記の課題を解決するために、本発明の一態様に係る携帯型洗浄器は、洗浄水を貯蔵するタンクと、上記タンクに貯蔵された洗浄水を吐水し、洗浄対象を洗浄するための通常洗浄用孔が形成されたノズルと、を備え、上記ノズルには、当該ノズルを洗浄するために上記洗浄水を吐水する開口であって、上記通常洗浄用孔の開口面積よりも大きい開口面積のノズル洗浄用孔が開閉可能に形成されていることを特徴としている。
【発明の効果】
【０００８】
本発明の一態様によれば、使用者自身が個室を出てからノズルを洗面所の水道水などで直接洗浄する必要がなく、使い勝手がよいという効果を奏する。
【図面の簡単な説明】
【０００９】
【図１】（ａ）（ｂ）は、本発明の実施形態１に係る携帯型洗浄器の２つの洗浄モードを説明するための図である。
【図２】（ａ）（ｂ）は、本発明の実施形態１に係る携帯型洗浄器の概略構成を示す斜視図である。
【図３】本発明の実施形態１に係る携帯型洗浄器の本体の概略構成を示す斜視図である。
【図４】（ａ）（ｂ）は、本発明の実施形態１に係る携帯型洗浄器のノズルのセルフクリーニング機構の動作を説明する図である。
【図５】本発明の実施形態２に係る携帯型洗浄器の概略を示す斜視図である。
【図６】本発明の実施形態３に係る携帯型洗浄器の概略を示す斜視図である。
【図７】図６に示す携帯型洗浄器に備えられたポンプ駆動制御回路を示す概略ブロック図である。
【図８】図６に示す携帯型洗浄器におけるポンプ駆動制御処理の流れを示すフローチャートである。
【図９】（ａ）（ｂ）は、本発明の携帯型洗浄器の変形例における２つの洗浄モードを説明するための図である。
【発明を実施するための形態】
【００１０】
以下、本発明の各実施形態について、詳細に説明する。各実施形態では、外出先のトイレの個室で使用することを前提とし、洗浄対象を人のおしりとした携帯用おしり洗浄器に、本発明の携帯型洗浄器を適用した例について説明する。
【００１１】
〔実施形態１〕
図２の（ａ）（ｂ）は、本実施形態に係る携帯用おしり洗浄器１００の概略構成を示す斜視図である。
【００１２】
（携帯用おしり洗浄器１００の概略説明）
携帯用おしり洗浄器１００は、洗浄水を洗浄対象（おしり）に吐水して当該洗浄対象を洗浄する洗浄器である。携帯用おしり洗浄器１００は、図２の（ａ）に示すように、洗浄水を貯蔵するタンク１、洗浄対象に洗浄水を吐水するための通常洗浄用孔２ｃが形成されたノズル２、タンク１に貯蔵された洗浄水をノズル２に供給するための本体３、および、ノズル２にスライド自在に設けられ、タンク１の洗浄水を用いてノズル２を洗浄するノズルのセルフクリーニング機構を構成する構成要素の一つの外筒４（スライド部材）を含んでいる。
【００１３】
タンク１は、表面が断面略八角形状（一例）に形成され、内面が断面略真円形状に形成された筒状の筐体１ａからなり、筐体１ａの内部１ｂに洗浄水を貯蔵するための貯蔵空間を有している。このタンク１の内部１ｂの貯蔵空間は、洗浄水を排出すれば、図２の（ｂ）に示すように、本体３を収納する収納空間になる。
【００１４】
本体３は、タンク１の内部１ｂに収納可能に設けられており、表面が断面略真円状の筒状の筐体３ａによって、内蔵された洗浄水供給部としてのダイヤフラムポンプ３２等（図３）が覆われている。筐体３ａの表面には、携帯用おしり洗浄器１００を操作するための操作ボタン群３１が設けられている。操作ボタン群３１は、図示しないが、洗浄対象（おしり）の洗浄を行う通常洗浄（通常洗浄モード）の実行・停止を行うためのボタン、ノズル２本体を洗浄するためのノズル洗浄（ノズル洗浄モード）の実行・停止を行うためのボタン、洗浄時の水量設定のボタンなどの各種操作ボタンが設けられている。但し、上記の通常洗浄、ノズル洗浄についてはボタン操作をせずに、何らかの信号をトリガにして自動的に行うようにしてもよい。
【００１５】
タンク１の内部１ｂの奥行きは、本体３の長手方向の長さと同じか、あるいは少し長くなるように設定されている。そして、本体３の筐体３ａは、外径が上記タンク１の筐体１ａの内面の内径と同じか、若干小さくなるように形成されている。これにより、本体３は、図２の（ｂ）に示すように、タンク１の内部１ｂに完全に収納される。このとき、ノズル２は本体３に収納される。
【００１６】
このように、本体３は、携帯時にはタンク１の内部１ｂに収納された状態となり、使用時には少なくとも筐体３ａ上に形成された操作ボタン群３１が露出されるまでタンク１の内部１ｂから引き出され、その位置でタンク１に固定された状態となる。
【００１７】
（本体３の詳細）
図３は、本体３の概略構成斜視図を示す。なお、図３では、説明の便宜上、図２の（ａ）で示した筐体３ａを省略している。
【００１８】
本体３は、洗浄水供給部としてのダイヤフラムポンプ３２、一端がダイヤフラムポンプ３２の排水口に接続され、他端がノズル２に接続された排水パイプ３３、一端がダイヤフラムポンプ３２の吸水口に接続され、他端が逆止弁３５に接続された吸水パイプ３４、タンク１（図２の（ａ）等）からの洗浄水を吸水するための吸水口３６、電池収納部（図示しない）の蓋としての電池蓋３７、および、本体３のタンク１との接続部の外周面に形成されたゴムパッキン３８を備えている。なお、電池蓋３７は、電池収納部を閉じることで、防水機能を実現している。また、ゴムパッキン３８によって、本体３とタンク１との接続部分における防水機能を実現している。
【００１９】
逆止弁３５は、一端が吸水パイプ３４に接続され、他端が吸水口３６に接続されており、吸水口３６からの洗浄水を吸水パイプ３４に流し、吸水パイプ３４からの洗浄水は吸水口３６に流さないようになっている。つまり、タンク１からの洗浄水は、吸水口３６で吸水され、逆止弁３５を通って吸水パイプ３４に送られるが、吸水パイプ３４から逆流する洗浄水は逆止弁３５に止められ、吸水口３６に流れないようになっている。
【００２０】
従って、ダイヤフラムポンプ３２が作動すると、タンク１の洗浄水は、吸水口３６から逆止弁３５を介して吸水パイプ３４により当該ダイヤフラムポンプ３２内部に吸水され、ダイヤフラムポンプ３２の排水口から排水パイプ３３を通してノズル２に排水される。
【００２１】
このようにして、本体３からノズル２に洗浄水が供給される。洗浄水が供給されたノズル２は、通常洗浄用孔２ｃから洗浄水を吐水する。以下にノズル２の詳細について説明する。
【００２２】
（ノズル２の詳細）
ノズル２は、図４の（ａ）に示すように、後端２ｄを支点として、矢印Ａ・Ｂ方向に回動自在に本体３に取り付けられている。つまり、ノズル２は、図２の（ａ）に示す洗浄位置から、図２の（ｂ）に示す収納位置まで回動するように、本体３に取り付けられている。
【００２３】
ノズル２には、上記通常洗浄用孔２ｃよりも本体３に近い側、すなわちノズル２における洗浄水供給方向の上流側に、当該ノズル２を洗浄するために上記洗浄水を吐水する開口であって、上記通常洗浄用孔２ｃの開口面積よりも大きい開口面積のノズル洗浄用孔２ａが形成されている。
【００２４】
ノズル洗浄用孔２ａの形成位置は、特に限定するものではないが、上述のように、本体３に近い側、すなわち、通常洗浄用孔２ｃよりもノズル２の上流側に形成されていることが好ましい。これにより、ノズル全体と通常洗浄用孔２ｃを、ノズル洗浄用孔２ａから吐水する洗浄水により洗い流すことが可能となる。
れば、ノズル洗浄用孔２ａから吐水される洗浄水は当該ノズル２を伝って確実にノズルを洗浄することができる。
【００２５】
ノズル２上には、図４の（ａ）に示すように、矢印Ｘ・Ｙ方向にスライド自在に形成され、ノズル洗浄用孔２ａを覆う外筒４が設けられている。つまり、外筒４は、ノズル２上でノズル洗浄用孔２ａを閉じる位置と、ノズル洗浄用孔２ａを開ける位置とにスライド移動可能となっている。ノズル２を内筒とすれば、内筒と外筒４との２重の筒構造となる。
【００２６】
外筒４は、ノズル２に対向する面に、ノズル洗浄用孔２ａを塞ぐ孔塞部４ａ、孔塞部４ａの本体３側にノズル２上に形成された２つの凹部２ｂの何れか一方に嵌合する突起部４ｂ、孔塞部４ａのノズル２の先端側にノズル洗浄用孔２ａから吐水された洗浄水を反射する洗浄水反射部４ｃが形成されている。
【００２７】
すなわち、外筒４は、ノズル２をスライド移動することで、図４の（ａ）に示すように、孔塞部４ａがノズル２のノズル洗浄用孔２ａを塞ぎ、突起部４ｂがノズル２のノズル洗浄用孔２ａ側の凹部２ｂに嵌合した状態（通常洗浄モード）と、図４の（ｂ）に示すように、洗浄水反射部４ｃがノズル２の開放状態のノズル洗浄用孔２ａに対向する位置にあり、突起部４ｂがノズル２の本体３側の凹部２ｂに嵌合した状態（ノズル洗浄モード）とを切り替えるようになっている。従って、外筒４を矢印Ｘ・Ｙ方向にスライド移動させることで簡単に洗浄モードを切り替えることができる。しかも、各洗浄モードにおいて、外筒４の突起部４ｂが対応する凹部２ｂに嵌合するため、当該外筒４がノズル２上で固定され、それぞれの洗浄モードを安定して実行することができる。
【００２８】
なお、外筒４が通常洗浄モードの位置とノズル洗浄モードの位置とに移動する移動量は、できるだけ少ないのが好ましい。
【００２９】
以下に、図１の（ａ）（ｂ）を参照しながら、ノズル２による洗浄モード（通常洗浄モード、ノズル洗浄モード）について説明する。
【００３０】
（ノズル２の洗浄モード）
図１の（ａ）は、通常洗浄モード時のノズル２の動作を示す図であり、図１の（ｂ）は、ノズル洗浄モード時のノズル２の動作を示す図である。
【００３１】
通常洗浄モードでは、図１の（ａ）に示すように、外筒４の孔塞部４ａによってノズル２のノズル洗浄用孔２ａが塞がれるため、ノズル２に供給されたタンクからの洗浄水は通常洗浄用孔２ｃから吐水される。
【００３２】
一方、ノズル洗浄モードでは、図１の（ｂ）に示すように、ノズル２のノズル洗浄用孔２ａは開放されているため、ノズル２に供給されたタンクからの洗浄水は開口面積が通常洗浄用孔２ｃの開口面積よりも大きいノズル洗浄用孔２ａから吐水される。タンクからノズル２に供給される洗浄水の流速が一定であれば、通常洗浄用孔２ｃの開口面積よりも大きい開口面積のノズル洗浄用孔２ａから吐水される洗浄水の水圧は、通常洗浄用孔２ｃから吐水される洗浄水の水圧よりも低くなる。このため、ノズル洗浄用孔２ａから吐水される洗浄水は、通常洗浄用孔２ｃから吐水される洗浄水のようにノズル２から遠くに吐水されず、当該ノズル２近くに吐水され、洗浄水がノズル２を伝って流れることになり、当該ノズル２が洗浄される。
【００３３】
しかも、ノズル洗浄モードでは、ノズル洗浄用孔２ａは外筒４の洗浄水反射部４ｃによって覆われているため、ノズル洗浄用孔２ａから吐水された洗浄水は、洗浄水反射部４ｃによって反射されノズル２を伝って流れるため、ノズル２を確実に洗浄することができる。
【００３４】
ノズル２のノズル洗浄用孔２ａの開口面積を、当該ノズル洗浄用孔２ａから吐水される洗浄水の水圧が上記ノズル２を伝って流れる程度の水圧となるように設定すれば、より確実にノズル２に洗浄水を伝わらせることができるので、ノズル２を確実に洗浄することができる。
【００３５】
なお、ノズル２の洗浄という観点から、ノズル洗浄用孔２ａは複数個、ノズル２の側面に形成されるのが好ましい。この場合、それぞれのノズル洗浄用孔２ａの開口面積が通常洗浄用孔２ｃの開口面積よりも小さくても、ノズル洗浄用孔２ａの開口面積の総和が、通常洗浄用孔２ｃの開口面積よりも大きければ、一つのノズル洗浄用孔２ａの開口面積が通常洗浄用孔２ｃの開口面積よりも大きい場合と同様の作用効果を得ることができる。
【００３６】
（効果）
以上のように、上記構成の携帯用おしり洗浄器１００では、ノズル２のノズル洗浄用孔２ａと、外筒４とでノズルのセルフクリーニング機構を構成していることになる。つまり、簡単な構成（ノズル洗浄用孔２ａ、外筒４）を追加するだけで、携帯用おしり洗浄器１００においてノズルのセルフクリーニング機構を実現できる。
【００３７】
従来のように、携帯用おしり洗浄器にノズルのセルフクリーニング機構を備えていなければ、トイレの個室でノズルをトイレットペーパー拭き、その後、携帯用おしり洗浄器を手に持った状態で個室を出て、手洗い場で再度ノズルを洗浄し、洗浄後のノズルをトイレットペーパーで拭いた後、当該携帯用おしり洗浄器をバッグなどに収納する必要がある。このため、使用者はトイレの個室を出てからも先端ノズルを洗浄する手間が生じ、洗浄しているところ他人に見られるという恥じらいが生じる。
【００３８】
しかしながら、本実施形態に係る携帯用おしり洗浄器１００では、ノズルのセルフクリーニング機構を備えているため、使用者自身がノズル２を水道水などで直接洗浄する必要はない。このため、使用者はトイレの個室内でノズル２を洗浄してから、ノズル２をトイレットペーパーで拭き取り、本体３に収納した状態で携帯用おしり洗浄器１００をバッグに収納してから退室できる。その結果、トイレにかかる時間を短縮することが可能となる。しかも、トイレの個室内でノズル洗浄から収納まで行うことができるため、個室を出てからの先端ノズルを洗浄する手間と恥じらいがなくなる。
【００３９】
しかも、ノズル洗浄は、タンク１に残った洗浄水で行うことになるため、タンク１の排水処理を兼ねて行うことができる。
【００４０】
なお、本実施形態では、ノズル洗浄用孔２ａを開閉するために外筒４を用いたが、これに限定されるものではなく、ノズル洗浄用孔２ａの開閉を行わせるための部材であれば、どのような部材であってもよい。例えば、ノズル洗浄用孔２ａに、外部から開閉操作可能な蓋を直接設けることが考えられる。
【００４１】
ところで、携帯用おしり洗浄器１００を使用する場所が、暗い個室であれば、ノズル２が見難い、あるいはタンク１の洗浄水の残量が確認し難い、といった問題が生じる可能性がある。以下の実施形態では、暗い個室で携帯用おしり洗浄器を使用する場合であっても、ノズル２が見や易く、また、タンク１の洗浄水の残量が確認し易い携帯用おしり洗浄器の一例について説明する。
【００４２】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００４３】
図５は、本実施形態に係る携帯用おしり洗浄器１０１の概略構成斜視図である。
【００４４】
（携帯用おしり洗浄器１０１の概略説明）
携帯用おしり洗浄器１０１は、図５に示すように、前記実施形態１に係る携帯用おしり洗浄器１００とほぼ同じ構成であり、異なるのは、本体３の筐体３ａに２つのＬＥＤライト５０ａ・５０ｂが設けられている点である。
【００４５】
また、携帯用おしり洗浄器１０１のタンク１では、貯蔵している洗浄水が外部から見えるように筐体１ａが光透過性の樹脂（材料）で形成されている。
【００４６】
ＬＥＤライト５０ａは、本体３の筐体３ａのノズル２側端部に形成され、ノズル２に光を照射するようになっている。なお、ＬＥＤライト５０ａは、ノズル２に光が照射できる位置であれば、ノズル２自体あるいは本体３の何れに設けてもよいし、他の位置に設けてもよい。
【００４７】
このように、ノズル２に光を照射するＬＥＤライト５０ａが設けられていれば、暗闇であってもノズル２を適切な位置に導くことが可能となる。
【００４８】
ＬＥＤライト５０ｂは、本体３の筐体３ａのタンク１側端部に形成され、タンク１に光を照射するようになっている。なお、ＬＥＤライト５０ｂは、タンク１に光が照射できる位置であれば、本体３あるいはタンク１自体の何れに設けてよいし、他の位置に設けてもよい。
【００４９】
このように、タンク１に光を照射するＬＥＤライト５０ｂが設けられていれば、暗闇の中でもタンク１に貯蔵した洗浄水の残量を目視できる。
【００５０】
なお、タンク１の筐体１ａが上述したような光透過性の樹脂で形成されている必要はなく、外部からタンク１に貯蔵された洗浄水の残量を示す残量計を設けて、この残量計にＬＥＤライト５０ｂの光を照射するようにし、暗い場所で洗浄水の残量を目視できるようにしてもよい。
【００５１】
ところで、一般に携帯用おしり洗浄器では、おしりを洗浄するうえで、ノズルと洗浄対象であるおしりとの最適な距離が想定されている。これは、ノズルとおしりとの距離が近すぎたり、遠すぎたりすると、水圧が強すぎたり、弱すぎたりするため、最適な水圧でおしりに洗浄水を吐水する必要があるためである。
【００５２】
しかしながら、一般的な携帯用おしり洗浄器では、据置型の温水洗浄便座とは異なり、ノズル位置が固定されておらず、使用者が個々に先端ノズルを便器内に挿入し、おしりを洗浄する。このため、ノズルとおしりとの距離が安定せず、近すぎたり、遠すぎたりして、おしりに吐水される洗浄水の水圧が強すぎたり、弱すぎたりすることになる。
【００５３】
以下の実施形態では、ノズルの先端に近接センサを内蔵し、最適な距離にならないと洗浄開始しないようにした携帯用おしり洗浄器について説明する。
【００５４】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００５５】
図６は、本実施形態に係る携帯用おしり洗浄器１０２の概略構成斜視図である。
【００５６】
（携帯用おしり洗浄器１０２の概略説明）
携帯用おしり洗浄器１０２は、図６に示すように、前記実施形態１に係る携帯用おしり洗浄器１００とほぼ同じ構成であり、異なるのは、ノズル２の先端に非常にコンパクトな近接センサ６０が設けられている点と、近接センサ６０による検出値が所定の範囲内にあることを示すＬＥＤライト８０とが設けられている点である。
【００５７】
このように、携帯用おしり洗浄器１０２のノズル２の先端に近接センサ６０を設けることで、近接センサ６０の検出値が、所定の範囲内にあるか否かを判定し、所定の範囲内にあると判定されたときに、ノズル２の通常洗浄用孔２ｃから洗浄水を吐水する洗浄制御を行っている。上記所定の範囲は、洗浄水を吐水して洗浄対象を洗浄するのに最適な距離の範囲、すなわち洗浄するうえでノズル２とおしりとの最適な距離の範囲を示す。この所定の範囲は、水圧などを考慮して設定される。
【００５８】
近接センサ６０の検出値を用いて行う制御は、図７に示すポンプ駆動制御部７０（洗浄水供給制御部）を用いて行う。
【００５９】
（ポンプ駆動制御部７０）
ポンプ駆動制御部７０は、図７に示すように、距離判定部７１、ポンプ駆動開始指示部７２、ポンプ駆動停止指示部７３を含んでいる。ポンプ駆動制御部７０は、操作ボタン群３１からの操作信号（例えば、通常洗浄の指示を示す信号）をトリガに洗浄制御を実行する。
【００６０】
距離判定部７１は、近接センサ６０からの検出値が、所定の範囲内であるか否かを判定し、判定結果をポンプ駆動開始指示部７２、ポンプ駆動停止指示部７３に送る。ここで、所定の範囲内は、範囲の境界値を含み、所定の範囲外は、範囲の境界値を含まない所定の範囲を越えるものとする。
【００６１】
ポンプ駆動開始指示部７２は、距離判定部７１からの判定結果が、検出値が所定の範囲内にあるとの判定結果であるとき、ダイヤフラムポンプ３２に対してポンプ駆動開始の信号を送ると共に、ＬＥＤライト８０に点灯の指示の信号を送る。
【００６２】
ポンプ駆動停止指示部７３は、距離判定部７１からの判定結果が、検出値が所定の範囲外であるとの判定結果であるとき、ダイヤフラムポンプ３２に対してポンプ駆動停止の信号を送る。
【００６３】
（近接センサ６０を用いて洗浄制御）
図８は、近接センサ６０を用いた場合の携帯用おしり洗浄器１０２による洗浄制御の処理の流れを示すフローチャートである。
【００６４】
まず、操作ボタン群３１を操作して通常洗浄のスイッチをＯＮする（Ｓ１１）。この状体では、まだ、ダイヤフラムポンプ３２は駆動しない。後述する処理を経てダイヤフラムポンプ３２は駆動する。
【００６５】
操作ボタン群３１からの信号がポンプ駆動制御部７０に入力され、距離判定部７１によって、近接センサ６０の検出値が所定の範囲内か否かが判定される（Ｓ１２）。ここで、距離判定部７１が近接センサ６０の検出値が所定の範囲内にあると判定（Ｓ１２のＹＥＳ）すれば、判定結果を示す信号をポンプ駆動開始指示部７２に送る。これにより、ダイヤフラムポンプ３２は、ポンプ駆動開始指示部７２からの指示信号により駆動を開始し、ノズル２に洗浄水を送る。このとき、近接センサ６０の検出値が、所定の範囲にある間、ＬＥＤライト８０は点灯し続ける。逆に、近接センサ６０の検出値が、所定の範囲を越えれば、ＬＥＤライト８０は消灯する。このＬＥＤライト８０の点灯状態を確認することで、使用者は、現在、おしり洗浄のために最適な距離にノズル２があるか否かを容易に確認することができる。
【００６６】
そして、ノズル２の通常洗浄用孔２ｃから洗浄水を吐水させる（Ｓ１３）。
【００６７】
通常洗浄用孔２ｃから洗浄水が吐水している状態で、距離判定部７１は、近接センサ６０の検出値が所定の範囲外であるか否かを判定する（Ｓ１４）。ここで、近接センサ６０の検出値が所定の範囲外でなければ（Ｓ１４のＮＯ）であれば、通常洗浄用孔２ｃからの洗浄水の吐水を継続し、近接センサ６０の検出値が所定の範囲外であれば（Ｓ１４のＹＥＳ）、ＬＥＤライト８０を消灯させると共に、判定結果を示す信号をポンプ駆動停止指示部７３に送る。
【００６８】
そして、ダイヤフラムポンプ３２は、ポンプ駆動停止指示部７３からの指示信号により駆動を停止する（Ｓ１５）。
【００６９】
（効果）
上記構成の携帯用おしり洗浄器１０２では、ノズル２の先端に非常にコンパクトな近接センサ６０を埋め込むことにより、ノズル２とおしりとの距離が最適な距離の範囲になるように調整することができる。これにより、ノズル２とおしりとの距離が近すぎ場合に水圧が強すぎたり、逆に、ノズル２とおしりとの距離が遠すぎた場合に水圧が弱すぎたりするといった不具合は生じない。
【００７０】
しかも、ノズル２とおしりとの距離が所定範囲外であるときには、ダイヤフラムポンプ３２の駆動が停止するようになっているため、使用者がおしりをノズル２側に向けていないときに誤って操作ボタン群３１を操作しても、ダイヤフラムポンプ３２が駆動しないため、洗浄水を周囲に撒き散らすという誤操作を防ぐことができる。
【００７１】
従って、本実施形態に係る携帯用おしり洗浄器１０２を使用すれば、使用者は快適におしり洗浄を行うことができ、誤操作も防ぐことができるという効果を奏する。
【００７２】
なお、前記実施形態１〜３の携帯用おしり洗浄器１００〜１０２では、ノズル２上を矢印Ｙ方向、すなわち本体３側に移動させることでノズル洗浄用孔２ａを開放する外筒４を用いたノズルのセルフクリーニング機構について説明したが、これに限定されるものではなく、他のノズルのセルフクリーニング機構であってもよい。以下の変形例において、他のノズルのセルフクリーニンググ機構について説明する。
【００７３】
〔変形例〕
図９の（ａ）は、通常洗浄モード時のノズル２０の動作を示す図であり、図９の（ｂ）は、ノズル洗浄モード時のノズル２０の動作を示す図である。
【００７４】
本変形例では、図９の（ａ）（ｂ）に示すように、前記実施形態１〜３のノズル２に代えてノズル２０、外筒４に代えて外筒４０を用いてノズルのセルフクリーニング機構を構成する。
【００７５】
ノズル２０は、先端が開放状態であり、先端部とは反対側にノズル洗浄用孔２０ａが形成されている。
【００７６】
外筒４０は、一端部が閉塞され、他端部が開放されており、開放された他端部から内筒となるノズル２０を収容するようになっている。そして、外筒４０の閉塞された端部側には通常洗浄用孔４０ｂが形成されており、この通常洗浄用孔４０ｂから、収容したノズル２０の先端から排出される洗浄水が吐水するようになっている。従って、本変形例では、外筒４０が通常洗浄モードにおいて洗浄水が付着する可能性のある部材となるため、ノズル洗浄モードでは、外筒４０の表面を洗浄することになる。
【００７７】
外筒４０には、さらに、ノズル２０に形成されたノズル洗浄用孔２０ａを閉塞するための孔塞部４０ａが形成されると共に、ノズル洗浄用孔２０ａが開放されたときに対向し、当該ノズル洗浄用孔２０ａから吐水された洗浄水を反射する洗浄水反射部４０ｃが形成されている。
【００７８】
ここで、ノズル洗浄用孔２０ａの開口面積は、通常洗浄用孔４０ｂの開口面積よりも大きい。この場合も前記実施形態１〜３と同様に、ノズル洗浄用孔２０ａを複数設けた場合には、一つのノズル洗浄用孔２０ａの開口面積が通常洗浄用孔４０ｂの開口面積よりも小さくても、全てのノズル洗浄用孔２０ａの開口面積の総和が、通常洗浄用孔４０ｂの開口面積よりも大きければよい。
【００７９】
通常洗浄モードでは、図９の（ａ）に示すように、外筒４０の孔塞部４０ａによってノズル２０のノズル洗浄用孔２０ａが塞がれるため、ノズル２に供給されたタンクからの洗浄水は外筒４０に形成された通常洗浄用孔４０ｂから吐水される。
【００８０】
一方、ノズル洗浄モードでは、図９の（ｂ）に示すように、ノズル２０のノズル洗浄用孔２０ａは開放されているため、ノズル２０に供給されたタンクからの洗浄水は開口面積が通常洗浄用孔２０ｂの開口面積よりも大きいノズル洗浄用孔２０ａから吐水される。タンクからノズル２０に供給される洗浄水の流速が一定であれば、通常洗浄用孔２０ｂの開口面積よりも大きい開口面積のノズル洗浄用孔２０ａから吐水される洗浄水の水圧は、通常洗浄用孔２０ｂから吐水される洗浄水の水圧よりも低くなる。このため、ノズル洗浄用孔２０ａから吐水される洗浄水は、通常洗浄用孔２０ｂから吐水される洗浄水のようにノズル２０から遠くに吐水されず、当該ノズル２０近くに吐水され、洗浄水が外筒４０の表面を伝って流れることになり、当該外筒４０が洗浄される。
【００８１】
しかも、ノズル洗浄モードでは、ノズル洗浄用孔２０ａは外筒４０の洗浄水反射部４０ｃによって覆われているため、ノズル洗浄用孔２０ａから吐水された洗浄水は、洗浄水反射部４０ｃによって反射され溢れて外筒４０の表面を伝って流れるため、外筒４０を下向きにすれば、外筒４０の根元から外筒４０の先端までの表面を確実に洗浄することができる。
【００８２】
以上の各実施形態に係る携帯用おしり洗浄器１００〜１０２のノズル２及び外筒４、変形例のノズル２０及び外筒４０は、衛生上、何れも抗菌処理が施された樹脂で形成されているのが好ましい。他の部材、本体３、タンク１においても抗菌処理が施された樹脂で形成されているのが好ましい。
【００８３】
〔まとめ〕
本発明の態様１に係る携帯型洗浄器（携帯用おしり洗浄器１００）は、洗浄水を貯蔵するタンク１と、上記タンク１に貯蔵された洗浄水を吐水し、洗浄対象を洗浄するための通常洗浄用孔２ｃが形成されたノズル２と、を備え、上記ノズル２には、当該ノズル２を洗浄するために上記洗浄水を吐水する開口であって、上記通常洗浄用孔２ｃの開口面積よりも大きい開口面積のノズル洗浄用孔２ａが開閉可能に形成されていることを特徴としている。
【００８４】
上記構成によれば、ノズルに通常洗浄用孔の開口面積より大きい開口面積のノズル洗浄用孔が形成されているので、当該ノズルにタンクに貯蔵された洗浄水を供給した場合、ノズル洗浄用孔を閉じれば、通常洗浄用孔から洗浄水が吐水し、ノズル洗浄用孔を開ければ、ノズル洗浄用孔から洗浄水が吐水する。ここで、タンクからノズルに供給される洗浄水の流速が一定であれば、通常洗浄用孔の開口面積よりも大きい開口面積のノズル洗浄用孔から吐水される洗浄水の水圧は、通常洗浄用孔から吐水される洗浄水の水圧よりも低くなる。このため、ノズル洗浄用孔から吐水される洗浄水は、通常洗浄用孔から吐水される洗浄水のようにノズルから遠くに吐水されず、当該ノズル近くに吐水され、洗浄水がノズルを伝って流れることになり、当該ノズルが洗浄される。
【００８５】
従って、上記構成の携帯型洗浄器は、ノズルを洗浄するためのノズルのセルフクリーニング機構を備えたことになるため、使用者自身が個室を出てからノズルを洗面所の水道水などで直接洗浄する必要はない。
【００８６】
なお、ノズル洗浄用孔の開口面積は、一つのノズル洗浄用孔の開口面積であってもよく、ノズルの周囲に複数個設けられたノズル洗浄用孔の開口面積の総和であってもよい。
【００８７】
本発明の態様２に係る携帯型洗浄器（携帯用おしり洗浄器１００）は、上記態様１において、上記ノズル洗浄用孔２ａの開口面積は、当該ノズル洗浄用孔２ａから吐水される洗浄水の水圧が上記ノズル２を伝って流れる程度の水圧となるように設定されているのが好ましい。
【００８８】
上記構成によれば、ノズル洗浄用孔の開口面積は、当該ノズル洗浄用孔から吐水される洗浄水の水圧が上記ノズルを伝って流れる程度の水圧となるように設定されていることで、ノズル洗浄用孔から吐水される洗浄水がノズルを確実に伝わるようになるため、ノズルを洗浄水により確実に洗浄することが可能となる。
【００８９】
本発明の態様３に係る携帯型洗浄器（携帯用おしり洗浄器１００）は、上記態様１または２において、上記ノズル洗浄用孔２ａは、上記通常洗浄用孔２ｃよりも上記ノズル２における洗浄水供給方向の上流側に形成されていてもよい。
【００９０】
上記の構成によれば、ノズル洗浄用孔が通常洗浄用孔よりもノズルにおける洗浄水供給方向の上流側に形成されていることで、通常洗浄用孔を用いて付着した洗浄水などを、ノズル洗浄用孔から吐水する洗浄水により洗い流すことが可能となる。特に、ノズル洗浄時には、ノズルの先端を下方に向ければ、ノズル洗浄用孔から吐水される洗浄水は当該ノズルを伝って確実にノズルを洗浄することができる。
【００９１】
本発明の態様４に係る携帯型洗浄器（携帯用おしり洗浄器１００）は、上記態様１〜３の何れか１態様において、上記ノズル洗浄用孔２ａを開閉するために、上記ノズル２上で上記ノズル洗浄用孔２ａを閉じる位置と、上記ノズル洗浄用孔２ａを開ける位置とにスライド移動可能なスライド部材（外筒４、４０）が設けられていてもよい。
【００９２】
上記構成によれば、ノズル洗浄用孔を開閉するために、ノズル上でノズル洗浄用孔を閉塞する位置と、ノズル洗浄孔を開放する位置とにスライド移動可能なスライド部材が設けられていることで、使用者はスライド部材をスライドさせるだけで簡単に、洗浄対象を洗浄するためにノズル洗浄用孔を閉じる通常洗浄モードと、ノズルを洗浄するためにノズル洗浄用孔を開けるノズル洗浄モードとを切り替えることができる。
【００９３】
本発明の態様５に係る携帯型洗浄器（携帯用おしり洗浄器１００）は、上記態様４において、上記スライド部材（外筒４、４０）は、上記ノズル洗浄用孔２ａを開放する位置に移動したときに、当該ノズル洗浄用孔２ａと対向する位置に洗浄水反射部４ｃが形成されていてもよい。
【００９４】
上記構成によれば、スライド部材は、ノズル洗浄用孔を開放する位置に移動したときに、当該ノズル洗浄用孔と対向する位置に洗浄水反射部が形成されていることで、ノズル洗浄時に、ノズル洗浄用孔から吐水した洗浄水は洗浄水反射部にて反射されるため、洗浄水をノズルに確実に伝わせることができる。
【００９５】
本発明の態様６に係る携帯型洗浄器（携帯用おしり洗浄器１０１）は、上記態様１〜５の何れか１態様において、上記ノズル２に光を照射するＬＥＤライト５０ａが設けられていてもよい。
【００９６】
上記構成によれば、ノズルに光を照射するＬＥＤライトが設けられていれば、暗闇であってもノズルを適切な位置に導くことができる。
【００９７】
本発明の態様７に係る携帯型洗浄器（携帯用おしり洗浄器１０１）は、上記態様１〜６の何れか１態様において、上記タンク１を光透過性の材料で形成すると共に、当該タンク１に光を照射するＬＥＤライト５０ｂが設けられていてもよい。
【００９８】
上記構成によれば、タンクが光透過性の材料で形成されているので、当該タンクにＬＥＤライトによって光を照射すれば、暗闇の中でもタンクに貯蔵した洗浄水の残量を目視できる。
【００９９】
本発明の態様８に係る携帯型洗浄器（携帯用おしり洗浄器１０２）は、上記態様１〜７の何れか１態様において、上記ノズル２の先端に設けられた近接センサ６０と、上記タンク１に貯蔵された洗浄水を上記ノズル２に供給する洗浄水供給部（ダイヤフラムポンプ３２）と、上記洗浄水供給部（ダイヤフラムポンプ３２）による洗浄水の上記ノズル２への供給を制御する洗浄水供給制御部（ポンプ駆動制御部７０）と、を備え、上記洗浄水供給制御部（ポンプ駆動制御部７０）は、上記近接センサ６０による検出値が、所定の範囲内にあれば、上記ノズル２への洗浄水の供給を行い、上記所定の範囲を越えていれば、上記ノズル２への洗浄水の供給を停止するように上記洗浄水供給部（ダイヤフラムポンプ３２）を制御してもよい。
【０１００】
上記の構成によれば、ノズルの先端に設けられた近接センサによる検出値により、ノズルとおしりとの距離が最適な距離の範囲になるように調整することができる。これにより、ノズルとおしりとの距離が近すぎ場合に水圧が強すぎたり、逆に、ノズル２とおしりとの距離が遠すぎた場合に水圧が弱すぎたりするといった不具合は生じない。
【０１０１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０２】
１  タンク
１ａ  筐体
１ｂ  内部
２  ノズル
２ａ  ノズル洗浄用孔
２ｂ  凹部
２ｃ  通常洗浄用孔
２ｄ  後端
３  本体
３ａ  筐体
４  外筒（スライド部材）
４ａ  孔塞部
４ｂ  突起部
４ｃ  洗浄水反射部
２０  ノズル
２０ａ  ノズル洗浄用孔
２０ｂ  通常洗浄用孔
３１  操作ボタン群
３２  ダイヤフラムポンプ（洗浄水供給部）
３３  排水パイプ
３４  吸水パイプ
３５  逆止弁
３６  吸水口
３７  電池蓋
３８  ゴムパッキン
４０  外筒（スライド部材）
４０ａ  孔塞部
４０ｂ  通常洗浄用孔
４０ｃ  洗浄水反射部
５０ａ  ＬＥＤライト
５０ｂ  ＬＥＤライト
６０  近接センサ
７０  ポンプ駆動制御部（洗浄水供給制御部）
７１  距離判定部
７２  ポンプ駆動開始指示部
７３  ポンプ駆動停止指示部
８０  ＬＥＤライト
１００  携帯用おしり洗浄器（携帯型洗浄器）
１０１  携帯用おしり洗浄器（携帯型洗浄器）
１０２  携帯用おしり洗浄器（携帯型洗浄器）
【図１】
2017029421.tif 000003
【図２】
2017029421.tif 000004
【図３】
2017029421.tif 000005
【図４】
2017029421.tif 000006
【図５】
2017029421.tif 000007
【図６】
2017029421.tif 000008
【図７】
2017029421.tif 000009
【図８】
2017029421.tif 000010
【図９】
2017029421.tif 000011